(57)【要約】【課題】定置端末装置を用いて生体認証のための生体情報を読取り、生体認証サーバが生体認証処理を行って個人識別情報を提供するようにした認証情報提供システムを提供するとともに、これを用いた情報配信サービスを提供する。【解決手段】認証情報提供システムは定置端末装置１０と生体認証サーバ２０と情報配信サーバ３０を備えている。認証情報提供システムは個人識別情報提供手段２６を備え、定置端末装置１０は、生体情報読取り手段が読み取った生体情報を生体認証サーバ２０に送信し、認証処理手段２８は、定置端末装置１０から送信された生体情報と認証データベース２５に蓄積された生体情報とを比較して個人認証を行い、肯定的認証結果が得られた場合、認証データベース２５から、対応する個人識別情報を取得し、個人識別情報提供手段２６は提供先データで指定された情報配信サーバ３０に個人識別情報を送信する。【選択図】図５
2008015926.tif 000002
【特許請求の範囲】
【請求項１】
ネットワークを介して生体認証サーバとデータ通信する通信手段と、生体認証のための生体情報を読取る生体情報読取り手段と、を備え、所定位置に設置された定置端末装置と、利用者が登録した生体認証のための生体情報と個人識別情報と該個人識別情報の提供先を示す提供先データを蓄積した認証データベースと、認証処理手段と、を有する生体認証サーバと、を備えた認証情報提供システムであって、
前記認証情報提供システムは、前記提供先データに従って前記個人識別情報を提供する個人識別情報提供手段を備え、
前記定置端末装置は、前記生体情報読取り手段が生体情報を読取った場合、前記生体情報を前記生体認証サーバに送信し、
前記認証処理手段は、前記定置端末装置から送信された生体情報と前記認証データベースに蓄積された生体情報とを比較して個人認証を行い、肯定的認証結果が得られた場合、前記認証データベースから、該当する生体情報に対応する個人識別情報を取得し、
前記個人識別情報提供手段は、前記提供先データで指定された情報配信サーバに個人識別情報を送信することを特徴とする認証情報提供システム。
【請求項２】
ネットワークを介して生体認証サーバとデータ通信する通信手段と、生体認証のための生体情報を読取る生体情報読取り手段と、を備え、前記生体情報読取り手段によって読取った生体情報を、前記通信手段を介して認証サーバに送信する所定位置に設置された定置端末装置とネットワークを介して接続される生体認証サーバであって、
前記生体認証サーバは、利用者が登録した生体認証のための生体情報と個人識別情報と該個人識別情報の提供先を示す提供先データを蓄積した認証データベースと、前記定置端末装置から送信された生体情報と前記認証データベースに蓄積された生体情報とを比較して認証処理を行う認証処理手段と、前記提供先データに従って前記個人識別情報を提供する個人識別情報提供手段と、を備え、
前記認証処理手段は、前記定置端末装置から送信された生体情報と前記認証データベースに蓄積された生体情報とを比較して個人認証を行い、肯定的認証結果が得られた場合、前記個人識別情報提供手段は、生体認証サーバは、前記認証データベースから該当する生体情報に対応する個人識別情報を読出し、前記提供先データで指定された情報配信サーバに個人識別情報を送信することを特徴とする生体認証サーバ。
【請求項３】
利用者が登録した生体認証のための生体情報と個人識別情報と該個人識別情報の提供先を示す提供先データを蓄積した認証データベースと、所定位置に設置された定置端末装置から送信された生体情報と前記認証データベースに蓄積された生体情報とを比較して認証処理を行う認証処理手段と、を備え、前記定置端末装置から送信された生体情報に基づいて、前記認証処理手段によって個人認証を行い、肯定的認証結果が得られた場合、前記認証データベースから、該当する生体情報に対応する個人識別情報と提供先データとを読出し、前記提供先データに従って前記個人識別情報を提供する生体認証サーバにネットワークを介して接続される定置端末装置であって、
前記定置端末装置は、ネットワークを介して生体認証サーバとデータ通信する通信手段と、生体認証のための生体情報を読取る生体情報読取り手段と、を備え、前記生体情報読取り手段が生体情報を読取った場合、前記生体情報を前記生体認証サーバに送信することを特徴とする定置端末装置。
【請求項４】
利用者が登録した生体認証のための生体情報と個人識別情報と該個人識別情報の提供先を示す提供先データを蓄積した認証データベースと、所定位置に設置された定置端末装置から送信された生体情報と前記認証データベースに蓄積された生体情報とを比較して認証処理を行う認証処理手段と、を備え、前記定置端末装置から送信された生体情報に基づいて、前記認証処理手段によって個人認証を行い、肯定的認証結果が得られた場合、前記認証データベースから、該当する生体情報に対応する個人識別情報と提供先データとを読出して前記定置端末装置に送信する生体認証サーバにネットワークを介して接続される定置端末装置であって、
前記定置端末装置は、ネットワークを介して生体認証サーバとデータ通信する通信手段と、前記提供先データに従って前記個人識別情報を提供する個人識別情報提供手段と、生体認証のための生体情報を読取る生体情報読取り手段と、を備え、前記生体情報読取り手段が生体情報を読取った場合、前記生体情報を前記生体認証サーバに送信し、前記生体認証サーバから、前記生体情報に該当する個人識別情報と提供先データを取得することを特徴とする定置端末装置。
【請求項５】
ネットワークを介して生体認証サーバとデータ通信する通信手段と、生体認証のための生体情報を読取る生体情報読取り手段と、を備え、所定位置に設置された定置端末装置と、利用者が登録した生体認証のための生体情報と個人識別情報と該個人識別情報の提供先を示す提供先データを蓄積した認証データベースと、認証処理手段と、を有する生体認証サーバと、を備えた認証情報提供システムにおける認証情報提供方法であって、
前記生体情報読取り手段が生体情報を読取った場合、前記生体情報を前記生体認証サーバに送信する生体情報送信ステップと、
前記認証処理手段が、前記定置端末装置から送信された生体情報と前記認証データベースに蓄積された生体情報とを比較して個人認証を行う認証ステップと、
前記認証ステップにおいて肯定的認証結果が得られた場合、前記生体認証サーバが、前記認証データベースから該当する生体情報に対応する個人識別情報を取得する個人識別情報取得ステップと、
前記個人識別情報提供手段が、前記提供先データで指定された情報配信サーバに個人識別情報を送信する個人識別情報提供ステップと、
を有することを特徴とする認証情報提供方法。
【請求項６】
ネットワークを介して生体認証サーバとデータ通信する通信手段と、生体認証のための生体情報を読取る生体情報読取り手段と、を備え、前記生体情報読取り手段によって読取った生体情報を、前記通信手段を介して認証サーバに送信する所定位置に設置された定置端末装置とネットワークを介して接続される生体認証サーバにおける認証情報提供方法であって、
前記生体認証サーバは、利用者が登録した生体認証のための生体情報と個人識別情報と該個人識別情報の提供先を示す提供先データを蓄積した認証データベースと、前記定置端末装置から送信された生体情報と前記認証データベースに蓄積された生体情報とを比較して認証処理を行う認証処理手段と、前記提供先データに従って前記個人識別情報を提供する個人識別情報提供手段と、を備え、
前記認証処理手段が、前記定置端末装置から送信された生体情報と前記認証データベースに蓄積された生体情報とを比較して個人認証を行う認証ステップと、
前記認証ステップにおいて肯定的認証結果が得られた場合、前記生体認証サーバが、前記認証データベースから該当する生体情報に対応する個人識別情報を取得する個人識別情報取得ステップと、
前記個人識別情報提供手段が、前記提供先データで指定された情報配信サーバに個人識別情報を送信する個人識別情報提供ステップと、
を有することを特徴とする認証情報提供方法。
【請求項７】
利用者が登録した生体認証のための生体情報と個人識別情報と該個人識別情報の提供先を示す提供先データを蓄積した認証データベースと、所定位置に設置された定置端末装置から送信された生体情報と前記認証データベースに蓄積された生体情報とを比較して認証処理を行う認証処理手段と、を備え、前記定置端末装置から送信された生体情報に基づいて、前記認証処理手段によって個人認証を行い、肯定的認証結果が得られた場合、前記認証データベースから、該当する生体情報に対応する個人識別情報と提供先データとを読出し、前記提供先データに従って前記個人識別情報を提供する生体認証サーバにネットワークを介して接続される定置端末装置における認証情報提供方法であって、
前記定置端末装置は、ネットワークを介して生体認証サーバとデータ通信する通信手段と、生体認証のための生体情報を読取る生体情報読取り手段と、を備え、前記生体情報読取り手段が生体情報を読取った場合、前記生体情報を前記生体認証サーバに送信する送信ステップを有することを特徴とする認証情報提供方法。
【請求項８】
利用者が登録した生体認証のための生体情報と個人識別情報と該個人識別情報の提供先を示す提供先データを蓄積した認証データベースと、所定位置に設置された定置端末装置から送信された生体情報と前記認証データベースに蓄積された生体情報とを比較して認証処理を行う認証処理手段と、を備え、前記定置端末装置から送信された生体情報に基づいて、前記認証処理手段によって個人認証を行い、肯定的認証結果が得られた場合、前記認証データベースから、該当する生体情報に対応する個人識別情報と提供先データとを読出して前記定置端末装置に送信する生体認証サーバにネットワークを介して接続される定置端末装置における認証情報提供方法であって、
前記定置端末装置は、ネットワークを介して生体認証サーバとデータ通信する通信手段と、前記提供先データに従って前記個人識別情報を提供する個人識別情報提供手段と、生体認証のための生体情報を読取る生体情報読取り手段と、を備え、前記生体情報読取り手段が生体情報を読取った場合、前記生体情報を前記生体認証サーバに送信する送信ステップと、前記生体認証サーバから、前記生体情報に該当する個人識別情報と提供先データを取得する取得ステップと、を有することを特徴とする認証情報提供方法。
【請求項９】
請求項１に記載の認証情報提供システムを用いた情報配信サービス提供システムであって、
前記情報配信サービス提供システムは、前記生体認証サーバまたは定置端末装置とネットワークを介して接続される情報配信サーバと、生体認証のための生体情報を送信した定置端末装置の設置位置を示す位置情報を生成する位置情報生成手段を備え、
前記個人識別情報提供手段は、該情報配信サーバに個人識別情報を提供する際、前記位置情報生成手段が生成した位置情報を提供し、
前記情報配信サーバは、利用者が登録した前記個人識別情報と興味対象情報とを該個人識別情報ごとに蓄積した個人登録情報データベースと、要求処理手段と、を備え、前記要求処理手段は、前記個人識別情報提供手段から送信された位置情報と個人識別情報とに基づいて前記興味対象情報を参照し前記位置情報に関連付けて提供情報を探索し、該提供情報を、前記生体認証サーバを介して定置端末装置に、または、前記定置端末装置に配信することを特徴とする情報配信サービス提供システム。
【請求項１０】
前記興味対象情報は、経路探索を要求することを示す経路探索要求情報であり、
前記情報配信サーバは、経路探索のための経路探索用ネットワークデータと経路探索部を含む要求処理手段を備え、前記経路探索部は、前記位置情報により特定される位置を出発地とし、前記定置端末装置に入力され、または、前記経路探索要求情報に登録された所望の位置を目的地とした経路を探索し、該探索した経路を、前記生体認証サーバを介して定置端末装置に、または、前記定置端末装置に、案内情報として配信することを特徴とする請求項９に記載の情報配信サービス提供システム。
【請求項１１】
前記興味対象情報は、ＰＯＩを検索するＰＯＩ検索要求情報であり、
前記情報配信サーバは、前記位置情報により特定される位置を中心として、前記ＰＯＩに関するＰＯＩ情報を取得する要求処理手段を備え、前記要求処理手段が取得したＰＯＩ情報を、前記生体認証サーバを介して定置端末装置に、または、前記定置端末装置に、案内情報として配信することを特徴とする請求項９に記載の情報配信サービス提供システム。
【請求項１２】
請求項１に記載の認証情報提供システムを用いた情報配信サービス提供システムを構成する情報配信サーバであって、
前記情報配信サービス提供システムは、前記生体認証サーバまたは定置端末装置とネットワークを介して接続される情報配信サーバと、生体認証のための生体情報を送信した定置端末装置の設置位置を示す位置情報を生成する位置情報生成手段を備え、前記個人識別情報提供手段は、該情報配信サーバに個人識別情報を提供する際、前記位置情報生成手段が生成した位置情報を提供し、
前記情報配信サーバは、利用者が登録した前記個人識別情報と興味対象情報とを該個人識別情報ごとに蓄積した個人登録情報データベースと、要求処理手段と、を備え、前記要求処理手段は、前記定置端末装置から送信された位置情報と個人識別情報とに基づいて前記興味対象情報を参照し前記位置情報に関連付けて提供情報を探索し、該提供情報を前記定置端末装置に配信することを特徴とする情報配信サーバ。
【請求項１３】
前記興味対象情報は、経路探索を要求することを示す経路探索要求情報であり、
前記情報配信サーバは、経路探索のための経路探索用ネットワークデータと経路探索部を含む要求処理手段を備え、前記経路探索手段は、前記位置情報により特定される位置を出発地とし、前記定置端末装置に入力され、または、前記経路探索要求情報に登録された所望の位置を目的地とした経路を探索し、該探索した経路を、前記生体認証サーバを介して定置端末装置に、または、前記定置端末装置に、案内情報として配信することを特徴とする請求項１２に記載の情報配信サーバ。
【請求項１４】
前記興味対象情報は、ＰＯＩを検索するＰＯＩ検索要求情報であり、
前記情報配信サーバは、前記位置情報により特定される位置を中心として、前記ＰＯＩに関するＰＯＩ情報を取得する要求処理手段を備え、前記要求処理手段が取得したＰＯＩ情報を、前記生体認証サーバを介して定置端末装置に、または、前記定置端末装置に、案内情報として配信することを特徴とする請求項１２に記載の情報配信サーバ。
【請求項１５】
請求項５に記載の認証情報提供方法を用いた情報配信サービス提供システムにおける情報配信方法であって、
情報配信サービス提供システムは、前記生体認証サーバまたは定置端末装置とネットワークを介して接続される情報配信サーバと、生体認証のための生体情報を送信した定置端末装置の設置位置を示す位置情報を生成する位置情報生成手段を備え、
前記個人識別情報提供手段が、該情報配信サーバに個人識別情報を提供する際、前記位置情報生成手段が生成した位置情報を提供する個人識別情報提供ステップと、
前記情報配信サーバは、利用者が登録した前記個人識別情報と興味対象情報とを該個人識別情報ごとに蓄積した個人登録情報データベースと、要求処理手段と、を備え、前記要求処理手段が、前記個人識別情報提供手段から送信された位置情報と個人識別情報とに基づいて前記興味対象情報を参照し前記位置情報に関連付けて提供情報を探索する要求処理ステップと、前記要求処理手段が探索した前記提供情報を、前記生体認証サーバを介して定置端末装置に、または、前記定置端末装置に配信する配信ステップと、を有することを特徴とする情報配信方法。
【請求項１６】
前記興味対象情報は、経路探索を要求することを示す経路探索要求情報であり、
前記情報配信サーバは、経路探索のための経路探索用ネットワークデータと経路探索部を含む要求処理手段を備え、前記要求処理ステップは、前記経路探索手段が、前記位置情報により特定される位置を出発地とし、前記定置端末装置に入力され、または、前記経路探索要求情報に登録された所望の位置を目的地とした経路を探索する処理を含むことを特徴とする請求項１５に記載の情報配信方法。
【請求項１７】
前記興味対象情報は、ＰＯＩを検索するＰＯＩ検索要求情報であり、
前記情報配信サーバは、前記位置情報により特定される位置を中心として、前記ＰＯＩに関するＰＯＩ情報を取得する要求処理手段を備え、前記要求処理ステップは、前記要求処理手段が取得したＰＯＩ情報を、前記生体認証サーバを介して定置端末装置に、または、前記定置端末装置に、案内情報として配信する処理を含むことを特徴とする請求項１５に記載の情報配信方法。
【発明の詳細な説明】
【技術分野】
【０００１】
本発明は、現金預け払い装置など所定の位置に固定的に設置された定置端末装置を生体認証端末として生体認証サーバで登録済の認証情報と照合して本人認証を行い、前記生体認証サーバから本人が登録した個人識別情報を認証情報として当該本人が会員登録している他の情報配信サーバに提供するようにした認証情報提供システムに関するものであり、また、生体認証サーバから認証情報として個人識別情報を提供された情報配信サーバが、該個人識別情報に関連づけて登録している興味対象情報で指定された要求を処理して、その結果を、生体認証処理要求を行った定置端末装置を介して提供するようにした情報配信サービスシステムに関するものである。
【背景技術】
【０００２】
従来から、地図データ、道路データを用いて、所望の出発地から目的地までの経路を探索して利用者を案内するナビゲーション装置、ナビゲーションシステムが知られており、このようなナビゲーション装置、ナビゲーションシステムとしては、自動車に搭載して運転者に経路を案内するカーナビゲーション装置、携帯電話をナビゲーション端末として利用して経路探索サーバに経路探索要求を送り、その結果を受信して経路案内を受ける通信型のナビゲーションシステムなどが実用化されている。
【０００３】
特に、通信型のナビゲーションシステムは、携帯電話などの携帯端末をナビゲーション端末として利用したシステムであって、歩行者用のナビゲーションシステムとしても用いられるものである。歩行者用のナビゲーションシステムとしては、交通機関を含めた経路案内機能を付加することが好ましく、徒歩経路の探索と案内に加えて、経路探索サーバに交通機関の路線や運行時刻データを蓄積し、所望の出発駅から所望の目的駅までの経路（乗車候補列車）を、徒歩経路の探索と案内に加えて案内する機能を有するナビゲーションシステムも存在する。また、徒歩経路の経路探索を伴わずに情報配信サーバから交通機関の路線や時刻表、乗車可能な列車などの情報の配信を受けて表示する交通案内システムも存在する。
【０００４】
一般的なナビゲーション装置、通信ナビゲーションシステムに使用される経路探索装置、経路探索方法は、例えば、下記の特許文献１（特開２００１−１６５６８１号公報）に開示されている。このナビゲーションシステムは、携帯ナビゲーション端末から出発地と目的地の情報を情報配信サーバに送り、情報配信サーバで道路網や交通網のデータから探索条件に合致した経路を探索して案内するように構成されている。探索条件としては、出発地から目的地までの移動手段、例えば、徒歩、自動車、鉄道と徒歩の併用などがあり、これを探索条件の１つとして経路探索する。
【０００５】
情報配信サーバは、地図データの道路（経路）をその結節点、屈曲点の位置をノードとし、各ノードを結ぶ経路をリンクとし、全てのリンクのコスト情報（距離や所要時間）をデータベースとして備えている。そして、情報配信サーバは、データベースを参照して、出発地のノードから目的地のノードに至るリンクを順次探索し、リンクのコスト情報が最小となるノード、リンクをたどって案内経路とすることによって最短の経路を携帯ナビゲーション端末に案内することができる。このような経路探索の手法としてはラベル確定法あるいはダイクストラ法と言われる手法が用いられる。上記特許文献１には、のダイクストラ法を用いた経路探索方法も開示されている。
【０００６】
交通機関を利用する経路を探索する経路探索システムは、ユーザが指定する出発日時、出発地、目的地、到着時刻等の経路探索条件に基づいて、各交通機関の運行時刻データをデータベース化した運行時刻データベースと、これに基づいて交通ネットワークをデータベース化したデータを備えている。そして、これらのデータベースを参照して、乗り継ぎ（乗り換え）を含めて出発地と目的地を結ぶ、利用可能な各交通手段（個々の電車や路線バス）を経路として順次たどり、経路探索条件に合致する案内経路（出発地駅、目的地駅、路線、列車などの交通手段）の候補を１つまたは複数提示するように構成される。経路探索条件としては更に、所要時間、乗り継ぎ回数、運賃などの条件を指定できるようにされているのが一般的である。
【０００７】
また、交通機関に関する検索、案内を行うシステムとして、携帯電話などの端末装置から交通機関の路線情報や時刻表情報を案内する情報配信サーバに接続して所望の出発駅、出発時刻、目的駅などを指定して、乗車可能な路線や列車、電車などの交通手段の情報配信を受け、端末装置に表示することができる案内システムも提供されている。一般に端末装置からこのような利用を行う場合には、ダウンロードしたい情報の存在する場所を特定するためのＵＲＬ（Uniform Resource Locator）やドメイン名などのアドレス情報を端末装置に入力して当該アドレスにより特定される情報配信サーバ（情報サイト）にアクセスして所望の情報をダウンロードする構成がとられている。
【０００８】
交通機関を利用した経路探索、経路案内をするナビゲーションシステムなどにおける経路経探索用のデータは、車載用ナビゲーションシステムや歩行者用ナビゲーションシステムにおける道路ネットワークのデータと同様に交通路線の各駅をノードとし、駅間を双方向リンクとしてネットワーク化したデータの他に、各交通路線上を運行される交通手段ごとに各リンクの運行時刻、所要時間がリンクコストのデータとして加えられる。更に、運賃データが加えられ、探索した案内経路の運賃が合わせて案内されるシステムも存在する。
【０００９】
また近年では、携帯電話など携帯端末がブラウザを搭載し、インターネットにアクセスして所望の情報の提供を受けることができるようになっている。このようなシステムにおいては、ユーザは携帯端末を操作して、サーバに備えられた検索エンジン等を利用して所望のサイトを見出し、当該サイトのコンテンツをダウンロードして、ブラウザにより当該コンテンツを閲覧している。上記コンテンツには種々のカテゴリに属する情報があり、店舗やイベントの情報提供、鉄道路線の時刻表の提供や、鉄道の乗り換え案内なども含まれる。
【００１０】
店舗やイベントの情報提供にあっては、ユーザが携帯端末を操作して店舗やイベントのカテゴリ、検索したい地域を入力して検索要求する。サーバは指定されたカテゴリに該当し、かつ当該地域に存在する店舗やイベントを検索し、その情報が携帯端末装置に配信される。時刻表の提供においては、ユーザが携帯端末を操作して、路線を指定すると、当該路線の時刻表が携帯端末の表示装置の画面上に提示される。また、乗り換え案内においては、ユーザが、出発地や目的地を指定することにより、推奨する経路が提示される。
【００１１】
このようなＰＯＩ（興味対象場所：Ｐｏｉｎｔ  ｏｆ  Ｉｎｔｅｒｅｓｔ）の情報提供システムは種々提案されている。例えば、下記の特許文献２（特開２００３−１５０４７５公報）に「情報提供システムおよび方法」として開示されたシステムも知られている。この特許文献２に開示された情報提供システムは、携帯端末とＷｅｂアプリケーションサーバからなるシステムである。
【００１２】
この情報提供システムにおいて、携帯端末を利用するユーザは、表示された提供サービスメニューから要求するサービスを選択する。選択されたサービスの情報はＷｅｂアプリケーションサーバに送信される。ＧＰＳ衛星は位置情報を出力する。携帯端末は、位置情報を受信し、受信した位置情報に基づいて現在位置を算出し、その現在位置の情報を、インターネットを介してＷｅｂアプリケーションサーバに送信する。Ｗｅｂアプリケーションサーバは、携帯端末から送信された現在位置の情報を受信し、携帯端末を利用するユーザによって選択されたサービスに関する情報であって、その現在位置に関連する情報を携帯端末に送信する。
【００１３】
一般的に、目的とするＰＯＩカテゴリに属する特定のＰＯＩが現在位置や所望の位置周辺（例えば、半径２ｋｍの範囲）に複数存在する場合、上記のようなＰＯＩ検索システムや経路案内システムにおいて検索された複数のＰＯＩに関する位置情報や関連情報は、現在位置や所望の位置から近い順に並べられて携帯端末に配信される。近い順とは現在位置や所望の位置からの各ＰＯＩまでの直線距離が短い順である。
【００１４】
ところで、上記のようなＰＯＩ情報システムは、単に利用者が検索した所望のＰＯＩの場所やＰＯＩまでの経路を案内するものであって、そのＰＯＩに在庫がなく商品が購入できないというケースが生じることがある。そこで本出願人は、ＰＯＩ検索とともに所望の商品在庫の有無を確認できるシステムを提供する目的で既に、特願２００５−２６３０１２号の発明についての特許出願を行っている。
【００１５】
この特願２００５−２６３０１２号（以下、「先願１」という。）に開示された発明は、現在位置などの所望位置からＰＯＩまでの実際の移動経路の距離または時間を考慮して、前記所望位置から近くに存在し、希望の商品在庫を有するＰＯＩを選択でき、また、情報配信サーバにおけるＰＯＩまでの経路探索を素早く、効率よく行うことができるようにしたナビゲーションシステムである。
【００１６】
すなわち、このナビゲーションシステムは、ＰＯＩデータベースに加え、ＰＯＩごとの商品在庫の情報を取得する在庫情報取得手段希望商品を指定して現在位置や所望位置から近いＰＯＩの探索要求があった場合、先ず、現在位置や所望位置からユーザが所望する時間または距離で到達できる道路ネットワーク上の範囲（到達圏）を探索し、到達圏内のＰＯＩを抽出し、抽出されたＰＯＩにおける商品在庫を確認して在庫のあるＰＯＩを特定し、現在位置または所望位置からの経路とし、距離（または時間）の短い順に該当ＰＯＩをソートして案内するように構成したものである。
【００１７】
情報配信サーバも機能が充実され、前述のような鉄道路線やバス路線の時刻表の提供や乗り換え案内にとどまらず、従来の車載用ナビゲーションシステムの機能を携帯電話などの携帯端末に提供する情報配信サーバも実現されている。このようなシステムによれば、自動車の運転者のみならず、歩行者に対するナビゲーションサービスを提供することができる。
【００１８】
一方、所定の場所（緯度・経度などの位置情報で特定される場所）に固定的に設置され情報提供サーバと通信する定置端末装置と、利用者が所持する移動体端末装置がこの定置端末装置と通信して情報提供サーバから経路案内を受けるようにした定置端末装置を用いたナビゲーションシステムも提案されている。このようなナビゲーションシステムでは、利用者が直接情報提供サーバと通信する必要がなく、定置端末装置に接近した時に定置端末装置と通信できればよいので、利用者が移動体端末装置を所持する必要もなく、定置端末装置が利用者の識別とその接近を識別できればよいので、短距離無線通信により定置端末装置と通信できるＩＣカードを利用者が所持するように構成することもできる。
【００１９】
このようなナビゲーションシステムは、例えば、下記の特許文献３（特開平１０−６３９８６号公報）に「人誘導システム」として開示され、また、下記の特許文献４（特開２００６−４７２７４号公報）に「経路誘導システム」として開示されている。これらの誘導システムは、特に視覚障害者を安全に該視覚障害者が目的地とする病院や公共施設まで誘導するシステムであるが、その他、テーマパーク入場者に対してテーマパーク内の各施設への経路を案内するシステムにおいてもこのような定置端末装置を利用した案内システムが採用されている。
【００２０】
特許文献３に開示された「人誘導システム」は、市街地、病院、福祉施設、駅構内などの場で、複数の分岐点を経由して目的地まで適切に人、特に視覚障害を持った人などを誘導する人誘導システムである。このシステムは、各分岐点を含む所定のポイントに設置され、誘導すべき人がポイントに来たことを検知する検知手段、各分岐点の配置及び目的地を記憶する第１の記憶手段、目的地までの通過ポイントをその順序と共に記憶する第２の記憶手段、各検知手段が誘導すべき人を検知した場合に、そのポイントを順次記憶する第３の記憶手段、及び方向決定手段を備えて構成されたものである。
【００２１】
方向決定手段は、各検知手段が誘導すべき人を検知した場合に、そのポイントを第２の記憶手段から見つけ出し、第２の記憶手段に記憶された上記情報に基づいて、該誘導すべき人が次に進むべき方向を決定する。決定された方向は音声出力手段などの通知手段を介して誘導すべき人に対して通知するものである。
【００２２】
また、特許文献４に開示された「経路誘導システム」は、被誘導者を所定の領域内のどの場所からでも直感的に理解できるように目的地に誘導する経路誘導システムである。このシステムは、サーバが所定の領域内の総目的地情報と設置通信端末の位置情報とを予め登録し、被誘導者が識別ＩＤと目的地とを登録して、上記所定の領域内の任意の設置通信端末から上記識別ＩＤと目的地とを入力すると、上記サーバが、現在地から目的地までの経路を算出し、音声、画像のほか上記設置通信端末の方向指示器を誘導すべき方向に指示するように駆動させることで、領域内のどの地点からでも、被誘導者が直感的に理解できるように目的地に誘導することができるようにしたものである。
【００２３】
【特許文献１】特開２００１−１６５６８１号公報（図１、図２）
【特許文献２】特開２００３−１５０４７５号公報（図１、図２、段落［００１３］）
【特許文献３】特開平１０−６３９８６号公報（図１、図８）
【特許文献４】特開２００６−４７２７４号公報（図１、図１０）
【発明の開示】
【発明が解決しようとする課題】
【００２４】
一般に、利用者が所望する興味対象に関する情報や所望の場所までの経路案内を希望する場合、移動体通信を利用して利用者が所持する携帯電話などの移動体通信端末装置を用いて、経路案内サーバや情報提供サーバと直接通信して必要とする情報を取得するシステムが利用される。しかしながら、このような通信型のシステムでは、利用者が移動体端末装置を携帯することが前提になる。利用者がこのような移動体端末装置を所持していなくても所望の情報を取得できると便利な場合が多々存在する。
【００２５】
また、上記のような通信型のシステムにおいては、利用者が情報を取得するために能動的に経路案内サーバや情報提供サーバにアクセスして情報取得のために必要な条件、例えば、ナビゲーションシステムにおいては、出発地や目的地などの経路探索条件を経路案内サーバに送る必要がある。同様に、利用者が興味対象としている事項に関連する情報を取得しようとする時には、興味対象を特定して情報配信サーバに送る必要がある。利用者が能動的に各種サーバにアクセスすることなく、予め登録してある条件や興味対象に関する情報を、利用者が他の目的である地点に所在している時、その所在位置に基づいて自動的に提供できると利用者には思いがけない情報が提供でき利便性を向上させることもできる。
【００２６】
このような情報配信サービスには、利用者が特別に移動体通信端末を所持する必要がなく、所定の場所に固定的に設置された定置端末装置を活用することが好ましい。例えば、現金預け払い装置は、銀行の支店やＡＴＭコーナー、コンビニエンスストア、スーパーマッケートなど、極めて多くの位置に設置されており、利用者が頻繁に利用するものである。従って、このような定置端末装置を利用者が利用した時に、利用者が予め登録してある興味対象に関する情報を提供できると便利なシステムを提供することができるようになる。
【００２７】
しかしながら、定置端末装置を用いたシステムに共通する問題点は、利用者をいかに特定するかという点である。上記特許文献２や特許文献３に開示された人誘導システムにおいては、利用者に当該利用者を特定するためのＩＣカードなどの信号発信手段を携行させ、この問題点を解消している。この場合、利用者がＩＣカードの携行を忘れた場合には必要とする案内や情報の取得ができなくなるという問題点がある。
【００２８】
そこで、定置端末装置に生体認証のための生体情報読取り手段を設け、利用者を生体認証によって特定するシステムにすることが考慮される。一般にこのような生体認証システムを適用するためには、全ての定置端末装置に生体情報読取り手段を設け、また、情報提供サーバ側に認証に使用する生体情報を保存し、照合、認証処理を行う処理システムを構築する必要があり、これらを、情報提供サービスを行う事業者が単独で用意するには設備投資が膨大になるという問題点がある。また、生体認証のための生体情報は高度な個人情報に属するものであり、その保護を強固にしなければならないという問題点もある。
【００２９】
昨今では、銀行に預けられている個人の資産を保護するために、生体情報読取り手段を設けた現金預け払い装置が設置され始めている。このような生体認証システムを適用したシステムを有効に利用できれば、個々の情報提供サービス事業者が個別に生体認証システムを適用したシステムを構築するという無駄を省くことができるようになる。また、利用者は個々のシステムに生体情報を登録する必要がなくなり、個人情報保護の観点からも好ましいシステムを提供することができるようになる。
【００３０】
本願の発明者は上記の問題点を解消すべく種々検討を重ねた結果、定置端末装置に生体認証のための生体情報を読取る生体情報読取り手段を設け、生体情報読取り手段に利用者が読取らせた生体情報を生体認証局（生体認証サーバ）に送り、生体認証サーバは、予め利用者が登録してある生体情報に基づいて個人認証を行った上で、利用者が登録してある個人識別情報、すなわち、利用者を特定する特定情報に変換して、該利用者が予め加入登録してある他の情報提供サーバにその個人識別情報を提供するようになせば、上記の問題点を解消し得ることに想到して本発明を完成するに至ったものである。
【００３１】
このような認証情報提供システムにすれば、生体認証サーバ運営事業者、定置端末装置運営事業者、情報配信サービス提供事業者が個別に生体認証システムを構築することなく、生体認証済の個人識別情報を提供することにより、個人を特定することができるようになる。また、利用者は異なるシステムごとに認証のための生体情報や個人情報を登録する必要がなく、個人情報の保護、認証情報のセキュリティーの面で優れたシステムを提供できる。
【００３２】
すなわち、本発明は上記の問題点を解消することを課題とし、定置端末装置を用いて生体認証のための生体情報を読取り、生体認証サーバが生体認証処理を行い、情報配信サーバに個人識別情報を提供するようにした認証情報提供システムを実現することを第１の目的とするものである。また、生体認証サーバから提供された個人識別情報に基づいて、情報配信サーバが、利用者が操作した（生体情報を読取らせた）定置端末装置を介して前記個人に種々の情報を提供するようにした情報配信サービスシステムを提供することを第２の目的とするものである。
【課題を解決するための手段】
【００３３】
前記課題を解決するために、本願の請求項１にかかる発明は、
ネットワークを介して生体認証サーバとデータ通信する通信手段と、生体認証のための生体情報を読取る生体情報読取り手段と、を備え、所定位置に設置された定置端末装置と、利用者が登録した生体認証のための生体情報と個人識別情報と該個人識別情報の提供先を示す提供先データを蓄積した認証データベースと、認証処理手段と、を有する生体認証サーバと、を備えた認証情報提供システムであって、
前記認証情報提供システムは、前記提供先データに従って前記個人識別情報を提供する個人識別情報提供手段を備え、
前記定置端末装置は、前記生体情報読取り手段が生体情報を読取った場合、前記生体情報を前記生体認証サーバに送信し、
前記認証処理手段は、前記定置端末装置から送信された生体情報と前記認証データベースに蓄積された生体情報とを比較して個人認証を行い、肯定的認証結果が得られた場合、前記認証データベースから、該当する生体情報に対応する個人識別情報を取得し、
前記個人識別情報提供手段は、前記提供先データで指定された情報配信サーバに個人識別情報を送信することを特徴とする。
【００３４】
本願の請求項２にかかる発明は、
ネットワークを介して生体認証サーバとデータ通信する通信手段と、生体認証のための生体情報を読取る生体情報読取り手段と、を備え、前記生体情報読取り手段によって読取った生体情報を、前記通信手段を介して認証サーバに送信する所定位置に設置された定置端末装置とネットワークを介して接続される生体認証サーバであって、
前記生体認証サーバは、利用者が登録した生体認証のための生体情報と個人識別情報と該個人識別情報の提供先を示す提供先データを蓄積した認証データベースと、前記定置端末装置から送信された生体情報と前記認証データベースに蓄積された生体情報とを比較して認証処理を行う認証処理手段と、前記提供先データに従って前記個人識別情報を提供する個人識別情報提供手段と、を備え、
前記認証処理手段は、前記定置端末装置から送信された生体情報と前記認証データベースに蓄積された生体情報とを比較して個人認証を行い、肯定的認証結果が得られた場合、前記個人識別情報提供手段は、生体認証サーバは、前記認証データベースから該当する生体情報に対応する個人識別情報を読出し、前記提供先データで指定された情報配信サーバに個人識別情報を送信することを特徴とする。
【００３５】
本願の請求項３にかかる発明は、
利用者が登録した生体認証のための生体情報と個人識別情報と該個人識別情報の提供先を示す提供先データを蓄積した認証データベースと、所定位置に設置された定置端末装置から送信された生体情報と前記認証データベースに蓄積された生体情報とを比較して認証処理を行う認証処理手段と、を備え、前記定置端末装置から送信された生体情報に基づいて、前記認証処理手段によって個人認証を行い、肯定的認証結果が得られた場合、前記認証データベースから、該当する生体情報に対応する個人識別情報と提供先データとを読出し、前記提供先データに従って前記個人識別情報を提供する生体認証サーバにネットワークを介して接続される定置端末装置であって、
前記定置端末装置は、ネットワークを介して生体認証サーバとデータ通信する通信手段と、生体認証のための生体情報を読取る生体情報読取り手段と、を備え、前記生体情報読取り手段が生体情報を読取った場合、前記生体情報を前記生体認証サーバに送信することを特徴とする。
【００３６】
本願の請求項４にかかる発明は、
利用者が登録した生体認証のための生体情報と個人識別情報と該個人識別情報の提供先を示す提供先データを蓄積した認証データベースと、所定位置に設置された定置端末装置から送信された生体情報と前記認証データベースに蓄積された生体情報とを比較して認証処理を行う認証処理手段と、を備え、前記定置端末装置から送信された生体情報に基づいて、前記認証処理手段によって個人認証を行い、肯定的認証結果が得られた場合、前記認証データベースから、該当する生体情報に対応する個人識別情報と提供先データとを読出して前記定置端末装置に送信する生体認証サーバにネットワークを介して接続される定置端末装置であって、
前記定置端末装置は、ネットワークを介して生体認証サーバとデータ通信する通信手段と、前記提供先データに従って前記個人識別情報を提供する個人識別情報提供手段と、生体認証のための生体情報を読取る生体情報読取り手段と、を備え、前記生体情報読取り手段が生体情報を読取った場合、前記生体情報を前記生体認証サーバに送信し、前記生体認証サーバから、前記生体情報に該当する個人識別情報と提供先データを取得することを特徴とする。
【００３７】
本願の請求項５にかかる発明は、
ネットワークを介して生体認証サーバとデータ通信する通信手段と、生体認証のための生体情報を読取る生体情報読取り手段と、を備え、所定位置に設置された定置端末装置と、利用者が登録した生体認証のための生体情報と個人識別情報と該個人識別情報の提供先を示す提供先データを蓄積した認証データベースと、認証処理手段と、を有する生体認証サーバと、を備えた認証情報提供システムにおける認証情報提供方法であって、
前記生体情報読取り手段が生体情報を読取った場合、前記生体情報を前記生体認証サーバに送信する生体情報送信ステップと、
前記認証処理手段が、前記定置端末装置から送信された生体情報と前記認証データベースに蓄積された生体情報とを比較して個人認証を行う認証ステップと、
前記認証ステップにおいて肯定的認証結果が得られた場合、前記生体認証サーバが、前記認証データベースから該当する生体情報に対応する個人識別情報を取得する個人識別情報取得ステップと、
前記個人識別情報提供手段が、前記提供先データで指定された情報配信サーバに個人識別情報を送信する個人識別情報提供ステップと、を有することを特徴とする。
【００３８】
本願の請求項６にかかる発明は、
ネットワークを介して生体認証サーバとデータ通信する通信手段と、生体認証のための生体情報を読取る生体情報読取り手段と、を備え、前記生体情報読取り手段によって読取った生体情報を、前記通信手段を介して認証サーバに送信する所定位置に設置された定置端末装置とネットワークを介して接続される生体認証サーバにおける認証情報提供方法であって、
前記生体認証サーバは、利用者が登録した生体認証のための生体情報と個人識別情報と該個人識別情報の提供先を示す提供先データを蓄積した認証データベースと、前記定置端末装置から送信された生体情報と前記認証データベースに蓄積された生体情報とを比較して認証処理を行う認証処理手段と、前記提供先データに従って前記個人識別情報を提供する個人識別情報提供手段と、を備え、
前記認証処理手段が、前記定置端末装置から送信された生体情報と前記認証データベースに蓄積された生体情報とを比較して個人認証を行う認証ステップと、
前記認証ステップにおいて肯定的認証結果が得られた場合、前記生体認証サーバが、前記認証データベースから該当する生体情報に対応する個人識別情報を取得する個人識別情報取得ステップと、
前記個人識別情報提供手段が、前記提供先データで指定された情報配信サーバに個人識別情報を送信する個人識別情報提供ステップと、を有することを特徴とする。
【００３９】
本願の請求項７にかかる発明は、
利用者が登録した生体認証のための生体情報と個人識別情報と該個人識別情報の提供先を示す提供先データを蓄積した認証データベースと、所定位置に設置された定置端末装置から送信された生体情報と前記認証データベースに蓄積された生体情報とを比較して認証処理を行う認証処理手段と、を備え、前記定置端末装置から送信された生体情報に基づいて、前記認証処理手段によって個人認証を行い、肯定的認証結果が得られた場合、前記認証データベースから、該当する生体情報に対応する個人識別情報と提供先データとを読出し、前記提供先データに従って前記個人識別情報を提供する生体認証サーバにネットワークを介して接続される定置端末装置における認証情報提供方法であって、
前記定置端末装置は、ネットワークを介して生体認証サーバとデータ通信する通信手段と、生体認証のための生体情報を読取る生体情報読取り手段と、を備え、前記生体情報読取り手段が生体情報を読取った場合、前記生体情報を前記生体認証サーバに送信する送信ステップを有することを特徴とする。
【００４０】
本願の請求項８にかかる発明は、
利用者が登録した生体認証のための生体情報と個人識別情報と該個人識別情報の提供先を示す提供先データを蓄積した認証データベースと、所定位置に設置された定置端末装置から送信された生体情報と前記認証データベースに蓄積された生体情報とを比較して認証処理を行う認証処理手段と、を備え、前記定置端末装置から送信された生体情報に基づいて、前記認証処理手段によって個人認証を行い、肯定的認証結果が得られた場合、前記認証データベースから、該当する生体情報に対応する個人識別情報と提供先データとを読出して前記定置端末装置に送信する生体認証サーバにネットワークを介して接続される定置端末装置における認証情報提供方法であって、
前記定置端末装置は、ネットワークを介して生体認証サーバとデータ通信する通信手段と、前記提供先データに従って前記個人識別情報を提供する個人識別情報提供手段と、生体認証のための生体情報を読取る生体情報読取り手段と、を備え、前記生体情報読取り手段が生体情報を読取った場合、前記生体情報を前記生体認証サーバに送信する送信ステップと、前記生体認証サーバから、前記生体情報に該当する個人識別情報と提供先データを取得する取得ステップと、を有することを特徴とする。
【００４１】
本願の請求項９にかかる発明は、
請求項１にかかる認証情報提供システムを用いた情報配信サービス提供システムであって、
前記情報配信サービス提供システムは、前記生体認証サーバまたは定置端末装置とネットワークを介して接続される情報配信サーバと、生体認証のための生体情報を送信した定置端末装置の設置位置を示す位置情報を生成する位置情報生成手段を備え、
前記個人識別情報提供手段は、該情報配信サーバに個人識別情報を提供する際、前記位置情報生成手段が生成した位置情報を提供し、
前記情報配信サーバは、利用者が登録した前記個人識別情報と興味対象情報とを該個人識別情報ごとに蓄積した個人登録情報データベースと、要求処理手段と、を備え、前記要求処理手段は、前記個人識別情報提供手段から送信された位置情報と個人識別情報とに基づいて前記興味対象情報を参照し前記位置情報に関連付けて提供情報を探索し、該提供情報を、前記生体認証サーバを介して定置端末装置に、または、前記定置端末装置に配信することを特徴とする。
【００４２】
本願の請求項１０にかかる発明は、請求項９にかかる発明において、
前記興味対象情報は、経路探索を要求することを示す経路探索要求情報であり、
前記情報配信サーバは、経路探索のための経路探索用ネットワークデータと経路探索部を含む要求処理手段を備え、前記経路探索部は、前記位置情報により特定される位置を出発地とし、前記定置端末装置に入力され、または、前記経路探索要求情報に登録された所望の位置を目的地とした経路を探索し、該探索した経路を、前記生体認証サーバを介して定置端末装置に、または、前記定置端末装置に、案内情報として配信することを特徴とする。
【００４３】
本願の請求項１１にかかる発明は、請求項９にかかる発明において、
前記興味対象情報は、ＰＯＩを検索するＰＯＩ検索要求情報であり、
前記情報配信サーバは、前記位置情報により特定される位置を中心として、前記ＰＯＩに関するＰＯＩ情報を取得する要求処理手段を備え、前記要求処理手段が取得したＰＯＩ情報を、前記生体認証サーバを介して定置端末装置に、または、前記定置端末装置に、案内情報として配信することを特徴とする。
【００４４】
本願の請求項１２にかかる発明は、
請求項１にかかる発明の認証情報提供システムを用いた情報配信サービス提供システムを構成する情報配信サーバであって、
前記情報配信サービス提供システムは、前記生体認証サーバまたは定置端末装置とネットワークを介して接続される情報配信サーバと、生体認証のための生体情報を送信した定置端末装置の設置位置を示す位置情報を生成する位置情報生成手段を備え、前記個人識別情報提供手段は、該情報配信サーバに個人識別情報を提供する際、前記位置情報生成手段が生成した位置情報を提供し、
前記情報配信サーバは、利用者が登録した前記個人識別情報と興味対象情報とを該個人識別情報ごとに蓄積した個人登録情報データベースと、要求処理手段と、を備え、前記要求処理手段は、前記定置端末装置から送信された位置情報と個人識別情報とに基づいて前記興味対象情報を参照し前記位置情報に関連付けて提供情報を探索し、該提供情報を前記定置端末装置に配信することを特徴とする。
【００４５】
本願の請求項１３にかかる発明は、請求項１２にかかる発明において、
前記興味対象情報は、経路探索を要求することを示す経路探索要求情報であり、
前記情報配信サーバは、経路探索のための経路探索用ネットワークデータと経路探索部を含む要求処理手段を備え、前記経路探索手段は、前記位置情報により特定される位置を出発地とし、前記定置端末装置に入力され、または、前記経路探索要求情報に登録された所望の位置を目的地とした経路を探索し、該探索した経路を、前記生体認証サーバを介して定置端末装置に、または、前記定置端末装置に、案内情報として配信することを特徴とする。
【００４６】
本願の請求項１４にかかる発明は、請求項１２にかかる発明において、
前記興味対象情報は、ＰＯＩを検索するＰＯＩ検索要求情報であり、
前記情報配信サーバは、前記位置情報により特定される位置を中心として、前記ＰＯＩに関するＰＯＩ情報を取得する要求処理手段を備え、前記要求処理手段は取得したＰＯＩ情報を、前記生体認証サーバを介して定置端末装置に、または、前記定置端末装置に、案内情報として配信することを特徴とする。
【００４７】
本願の請求項１５にかかる発明は、請求項５にかかる発明の認証情報提供方法を用いた情報配信サービス提供システムにおける情報配信方法であって、
情報配信サービス提供システムは、前記生体認証サーバまたは定置端末装置とネットワークを介して接続される情報配信サーバと、生体認証のための生体情報を送信した定置端末装置の設置位置を示す位置情報を生成する位置情報生成手段を備え、
前記個人識別情報提供手段が、該情報配信サーバに個人識別情報を提供する際、前記位置情報生成手段が生成した位置情報を提供する個人識別情報提供ステップと、
前記情報配信サーバは、利用者が登録した前記個人識別情報と興味対象情報とを該個人識別情報ごとに蓄積した個人登録情報データベースと、要求処理手段と、を備え、前記要求処理手段が、前記個人識別情報提供手段から送信された位置情報と個人識別情報とに基づいて前記興味対象情報を参照し前記位置情報に関連付けて提供情報を探索する要求処理ステップと、前記要求処理手段が探索した前記提供情報を、前記生体認証サーバを介して定置端末装置に、または、前記定置端末装置に配信する配信ステップと、を有することを特徴とする。
【００４８】
本願の請求項１６にかかる発明は、請求項１５にかかる発明において、
前記興味対象情報は、経路探索を要求することを示す経路探索要求情報であり、
前記情報配信サーバは、経路探索のための経路探索用ネットワークデータと経路探索部を含む要求処理手段を備え、前記要求処理ステップは、前記経路探索手段が、前記位置情報により特定される位置を出発地とし、前記定置端末装置に入力され、または、前記経路探索要求情報に登録された所望の位置を目的地とした経路を探索する処理を含むことを特徴とする。
【００４９】
本願の請求項１７にかかる発明は、請求項１５にかかる発明において、
前記興味対象情報は、ＰＯＩを検索するＰＯＩ検索要求情報であり、
前記情報配信サーバは、前記位置情報により特定される位置を中心として、前記ＰＯＩに関するＰＯＩ情報を取得する要求処理手段を備え、前記要求処理ステップは、前記要求処理手段が取得したＰＯＩ情報を、前記生体認証サーバを介して定置端末装置に、または、前記定置端末装置に、案内情報として配信する処理を含むことを特徴とする。
【発明の効果】
【００５０】
請求項１にかかる発明においては、生体認証サーバは利用者が登録した生体認証のための生体情報と個人識別情報と該個人識別情報の提供先を示す提供先データを蓄積した認証データベースを有する。認証情報提供システムは、前記提供先データに従って前記個人識別情報を提供する個人識別情報提供手段を備え、定置端末装置は、生体情報読取り手段が生体情報を読取った場合、該生体情報を生体認証サーバに送信し、認証処理手段は、定置端末装置から送信された生体情報と認証データベースに蓄積された生体情報とを比較して個人認証を行い、肯定的認証結果が得られた場合、認証データベースから、該当する生体情報に対応する個人識別情報を取得し、個人識別情報提供手段は、提供先データで指定された情報配信サーバに個人識別情報を送信する。
【００５１】
このような構成によれば、定置端末装置は、生体認証サーバから認証済みの個人識別情報を取得することができるから、利用者は１つの生体認証サーバに生体認証のための生体情報と個人識別情報を登録しておくことにより、任意の定置端末装置を利用して認証を受けて、個人を特定することができるようになる。また、利用者は生体認証を所望する複数のシステムにそれぞれ認証のための生体情報や個人識別情報、住所、電話番号などの個人情報を登録する必要がなく、個人情報保護の点から利用者にとって好ましいシステムを提供することができる。
【００５２】
更に、生体認証サーバの運営事業者は、個人識別情報を提供する提供先の情報配信サーバの運営事業者に対して手数料を課金し、情報配信サーバの運営事業者は生体認証を利用し情報提供を所望する登録会員に情報配信の手数料を課金するようにすれば、情報配信サーバの運営事業者は、生体認証のための設備投資をすることなく、実質的に生体認証を行ったと同じ結果を得ることができ、利用者、生体認証サーバの運営事業者、情報配信サーバの運営事業者のそれぞれがメリットを享受できるビジネスモデルを構築することができる。
【００５３】
請求項２にかかる発明においては、請求項１にかかる認証情報提供システムを構成する生体認証サーバを提供することができ、また、請求項３、請求項４にかかる発明においては、請求項１にかかる認証情報提供システムを構成する定置端末装置を提供することができるようになる。
【００５４】
請求項５にかかる発明においては、請求項１にかかる認証情報提供システムを実現する認証情報提供方法を提供することができるようになる。また、請求項６にかかる発明においては請求項２にかかる生体認証サーバにおける認証情報提供方法を提供することができるようになり、請求項７、請求項８にかかる発明においては、請求項３、請求項４にかかる定置端末装置における認証情報提供方法を提供することができるようになる。
【００５５】
請求項９にかかる発明においては、請求項１に記載の認証情報提供システムを用いた情報配信サービス提供システムであって、前記情報配信サービス提供システムは、更に、情報配信サーバと、生体認証のための生体情報を送信した定置端末装置の設置位置を示す位置情報を生成する位置情報生成手段を備える。そして、前記個人識別情報提供手段は、該情報配信サーバに個人識別情報を提供する際、前記位置情報生成手段が生成した位置情報を提供し、前記情報配信サーバは、利用者が登録した前記個人識別情報と興味対象情報とを該個人識別情報ごとに蓄積した個人登録情報データベースと、要求処理手段と、を備え、前記要求処理手段は、前記個人識別情報提供手段から送信された位置情報と個人識別情報とに基づいて前記興味対象情報を参照し前記位置情報に関連付けて提供情報を探索し、該提供情報を、前記生体認証サーバを介して定置端末装置に、または、前記定置端末装置に配信する。
【００５６】
請求項１０にかかる発明においては、請求項９にかかる発明において、前記興味対象情報は、経路探索を要求することを示す経路探索要求情報であり、前記情報配信サーバは、経路探索のための経路探索用ネットワークデータと経路探索部を含む要求処理手段を備え、前記経路探索手段は、前記位置情報により特定される位置を出発地とし、前記定置端末装置に入力され、または、前記経路探索要求情報に登録された所望の位置を目的地とした経路を探索し、該探索した経路を、前記生体認証サーバを介して定置端末装置に、または、前記定置端末装置に、案内情報として配信する。
【００５７】
請求項１１にかかる発明においては、請求項９にかかる発明において、前記興味対象情報は、ＰＯＩを検索するＰＯＩ検索要求情報であり、前記情報配信サーバは、前記位置情報により特定される位置を中心として、前記ＰＯＩに関するＰＯＩ情報を取得する要求処理手段を備え、前記要求処理手段が取得したＰＯＩ情報を、前記生体認証サーバを介して定置端末装置に、または、前記定置端末装置に、案内情報として配信する。
【００５８】
このような構成によれば、利用者が予め生体認証サーバに生体認証のための生体情報と個人識別情報を登録するとともに、情報配信サーバに個人識別情報と興味対象情報を登録しておけば、利用者は特別な端末装置や個人識別用のカードを携行することなく、定置端末装置において生体認証を要求するだけで、情報配信サーバに登録した興味対象情報、この場合、目的地までの経路案内のサービスを受け、あるいは、所望のＰＯＩの検索サービスを受けることができるようになる。また、生体認証サーバは、利用者が登録した個人識別情報の提供先に、生体認証済の個人識別情報を提供するサービスを行うことができるようになる。
【００５９】
請求項１２〜請求項１４にかかる発明においては、それぞれ請求項９〜請求項１１にかかる発明を構成する情報配信サーバを提供することができるようになり、請求項１５〜請求項１７にかかる発明においては、それぞれ請求項９〜請求項１１にかかる発明の情報配信システムを実現するための情報配信方法を提供することができるようになる。
【発明を実施するための最良の形態】
【００６０】
以下、本発明の具体例を実施例及び図面を用いて詳細に説明する。但し、以下に示す実施例は、本発明の技術思想を具体化するための認証情報提供システム、情報配信サービスシステムを例示するものであって、本発明をこの認証情報提供システム、情報配信サービスシステムに特定することを意図するものではなく、特許請求の範囲に含まれるその他の実施形態の認証情報提供システム、情報配信サービスシステムにも等しく適用し得るものである。
【実施例１】
【００６１】
図１は、本発明の実施例１にかかる認証情報提供システムを用いた情報配信サービスシステム１の概念を示すシステム構成図である。認証情報提供システムは、それぞれ所定の位置に設置された複数の定置端末装置１０と、利用者が登録した生体認証のための生体情報を蓄積した認証データベース２５を有する生体認証サーバ２０とを備えて構成されている。
【００６２】
生体認証を利用する利用者は予め生体認証のための生体情報と個人識別情報などの認証用データと認証結果を提供する提供先情報、例えば、所望の情報配信サーバ３０の接続先の情報を生体認証サーバ２０に登録し、それらの認証用データを認証データベース２５に蓄積しておく。図１において、利用者端末装置４０は、上記の登録を行うパーソナルコンピュータなどである。生体情報は別途定められた方法によって生体認証サーバ２０に登録する。
【００６３】
定置端末装置１０は、図２に示すように生体情報読取り手段を持ち、利用者が定置端末装置１０を用いて認証を受けたい場合には、生体情報読取り手段で読取った認証用の生体情報を生体認証サーバ２０に送信する。生体認証サーバ２０は定置端末装置１０から受信した生体情報と認証データベース２５に蓄積された生体情報とを照合して個人認証を行う。認証の結果として肯定的な結果（生体情報が一致して正しい利用者であることが認証された結果）が得られると、生体認証サーバ２０は該生体情報に対応して認証データベース２５に登録されている個人識別情報を認証済みのデータとして予め利用者が登録した提供先の情報配信サーバ３０に送信する。
【００６４】
これにより、利用者は定置端末装置１０により生体認証サーバ２０に生体認証を要求し、生体認証サーバ２０において、利用者が正当な利用者であるとの認証がなされると、生体認証サーバ２０は、利用者が予め設定してある所定の情報配信サーバ３０に個人識別情報を送信して、該情報配信サーバ３０が個人を特定することができるようになる。
【００６５】
生体認証の方法は、指紋、静脈など種々提案されている方法を採用することができる。定置端末装置１０において、生体情報読取り手段が読み取る生体情報そのものは、外部のシステムとの共用は出来ない。読取りのフォーマットが異なればデータ自体に意味がなく、またセキュリティー上、外部のシステムと生体情報を共有することは許されないからである。本発明においては、定置端末装置１０と専用回線で接続される生体認証サーバ２０でのみ生体認証のための情報を扱い、本人認証が得られた場合、認証情報を、利用者個人を特定する特定情報、すなわち、利用者が生体情報とともに登録した個人識別情報に変換して、他のシステムに提供するように構成している。
【００６６】
すなわち、生体認証サーバ２０に認証のための生体情報、個人識別情報、提供先情報を登録した利用者が、所望の情報配信サーバ３０に所望の情報提供を希望する場合、利用者は該情報配信サーバ３０にも生体認証サーバ２０に登録した個人識別情報を登録し、情報提供を所望するための興味対象情報を登録しておく。登録された個人識別情報、興味対象情報は、個人登録情報データベース３７に登録される。利用者は、予め利用者端末装置４０を用いて情報配信サーバ３０にこの登録処理を行っておく。これにより、生体認証サーバ２０から提供される個人識別情報と情報配信サーバ３０に登録された個人識別情報とが関連付けできるから、情報配信サーバ３０に登録された利用者のアカウント、ＩＤ、パスワードが特定でき、情報配信サーバ３０にログインすることができるようになる。
【００６７】
従って、情報配信サーバ３０は、生体認証サーバ２０から個人識別情報を受信すると、個人登録情報データベース３７を参照して、個人識別情報に対応して登録されている興味対象情報に従って、当該興味対象情報に関する検索を行い、利用者が所望している該当情報があれば、その該当情報を定置端末装置１０に配信する。定置端末装置１０は情報配信サーバ３０から配信された情報を表示手段に表示して利用者に提供することができる。
【００６８】
ここで、生体認証サーバ２０は各定置端末装置１０の設置位置情報を緯度・経度の位置情報として生成する位置情報生成手段を備え、情報配信サーバ３０に個人識別情報を送信する際に、この位置情報も送信する。情報配信サーバ３０は興味対象情報に基づく処理を行う場合にこの位置情報と関連付けて処理する。例えば、定置端末装置１０の位置（利用者が定置端末装置１０を操作した時点で位置する利用者の位置を意味する）を出発地として経路を探索したり、この位置を中心として所定の範囲内（距離範囲内）に存在する興味対象場所（ＰＯＩ）を検索したりする。また、位置情報には緯度、経度だけでなく、高さ情報や建物内の階数情報を含んでも良い。また特定の施設内の区画情報であっても良い。
【００６９】
定置端末装置１０は、例えば、銀行の支店、キャッシュコーナー、コンビニエンスストア、スーパーマーケットなどに設置された現金預け払い装置などであり、生体認証サーバ２０は銀行の認証サーバである。従って、生体認証サーバ２０は、各定置端末装置１０の設置位置を生成することができる。また、情報配信サーバ３０は、例えば、所望の地点から地点までの経路を探索して案内したり、所望のＰＯＩ（興味対象場所：Ｐｏｉｎｔ  ｏｆ  Ｉｎｔｅｒｅｓｔ）を検索して案内したりするナビゲーションサーバである。
【００７０】
利用者は定置端末装置１０である現金預け払い装置を利用して預金の預け払いを行う際に、生体認証を利用すると、生体認証サーバ２０を介して、予め個人識別情報の提供先として登録してある情報配信サーバ３０に興味対象情報に従った処理を要求し、その結果を、生体認証サーバ２０を介して得ることができる。この時、定置端末装置１０の設置位置に関連した処理が情報配信サーバ３０によって行われるから、利用者がたまたま立ち寄った定置端末装置１０の位置を起点とした情報を得ることができ、利用者が積極的に意図していなくても、情報配信サーバ３０に予め登録しておいた興味対象情報に該当する情報を得ることができるようになる。このような具体例の詳細については後に詳しく説明する。
【００７１】
また、定置端末装置１０は航空会社のチケット発行機や自動チェックイン装置とすることができ、情報配信サーバ３０を航空会社が運営することで本人認証を行ってチケット発行や自動チェックインする際に、出発空港の搭乗ゲートや、到着空港の周辺案内などを提供するシステムとすることができる。
【００７２】
また更に、定置端末装置１０を所定の交差点などに設置した通信端末とし、情報提供サーバ３０を、視覚障害などの障害を持つ利用者が登録した目的地と定置端末装置１０（利用者が生体情報を読み取らせた定置端末装置）の位置との間の経路案内の情報を提供する経路探索サーバとすることができる。このような具体例の詳細については後に実施例に基づいて詳しく説明する。
【００７３】
このように、生体認証サーバ２０を用いて生体認証を行い、その結果として本人認証が正しく行われた利用者の個人識別情報を、予め利用者が登録した提供先に提供するようなシステムによれば、利用者は生体認証を所望する複数のシステムにそれぞれ認証のための生体情報や個人識別情報、住所、電話番号などの個人情報を登録する必要がなく、個人情報保護の点から利用者にとって好ましいシステムを提供することができる。
【００７４】
このようなシステムにおいて、生体認証サーバ２０の運営事業者は、個人識別情報を提供する提供先の情報配信サーバ３０の運営事業者に対して手数料を課金し、情報配信サーバ３０の運営事業者は生体認証を利用し、情報提供を所望する登録会員に情報配信の手数料を課金するようにすれば、情報配信サーバの運営事業者は、生体認証のための設備投資をすることなく、実質的に生体認証を行ったと同じ結果を得ることができ、利用者、生体認証サーバの運営事業者、情報配信サーバの運営事業者のそれぞれがメリットを享受できるビジネスモデルを構築することができる。
【００７５】
なお、図１において情報配信サーバ３０はナビゲーションシステムにおける経路探索サーバやＰＯＩ検索サーバなど種々のサーバであってもよいし、これら各種のサーバへのログインを管理する案内管理サーバを置き、各種サーバへの情報配信要求、各種サーバからの情報配信をこの案内管理サーバが経由するシステム構成としてもよい。その場合、案内管理サーバは、ＷＥＢページを用いて、利用者が事前にログインし、興味対象情報（目的地やＰＯＩの検索要求の情報）を登録できるようにしておく。目的地への到着時刻まで興味対象情報に指定すれば、情報配信サーバ３０からの案内の提供はその時刻に達するまでの間に行われる。このように、利用者が興味対象を案内管理サーバに登録して、機会あるごとに定置端末装置１０を介して案内を受けることができるようになる。
【００７６】
図２は、定置端末装置１０の概略構成を示すブロック図である。定置端末装置１０は制御手段１２、通信手段１３、表示手段１４、操作・入力手段１５、生体情報読取り手段１６などを備えて構成されている。制御手段１２は、図示してはいないがＲＡＭ、ＲＯＭ、プロセッサを有するマイクロプロセッサであり、ＲＯＭに格納された制御プログラムにより各部の動作を制御する。通信手段１３は、ネットワークを介して生体認証サーバ２０と通信するための通信インタフェースである。
【００７７】
表示手段１４は、液晶表示ユニットなどで構成され、定置端末装置１０におけるメニューや定置端末装置１０の処理結果を表示するものである。また、操作・入力手段１５はキーや表示手段１４に表示されるソフトキーやタッチパネルからなり、定置端末装置１０に所望の入力を行ったり、所望のメニューや選択項目を選択して定置端末装置１０に処理を要求したりするものである。
【００７８】
また、生体認証サーバ２０は、生体認証を所望する利用者から予め登録された生体認証のための生体情報などを蓄積する認証データベース２５を備えている。認証に用いる生体情報は代表的には指紋データであるが、その他個人を特定できる生体の情報であってもよい。登録データは図３に示すように登録利用者、氏名、住所、電話番号等の個人情報と、パスワードＰＷ、生体情報（以下の説明では生体情報として指紋を用いる）、利用者個人を示す個人識別情報などから構成される。個人識別情報は、図３に示すように所定桁数の英数字、記号の組み合わせであってよく、利用者が任意の組み合わせを登録しておく。
【００７９】
また、利用者は生体認証サーバ２０に生体情報、個人識別情報を登録するとともに、所望の情報配信サーバ３０から生体認証に基づいて情報配信を希望する場合には、当該所望の情報配信サーバ３０にも個人識別情報を登録する。すなわち、利用者は生体認証サーバ２０に登録した個人識別情報を情報配信サーバ３０に登録するとともに、情報配信を希望する興味対象情報を設定しておく。そして、生体認証サーバ２０には、情報配信サーバ３０を個人識別情報の提供先として登録する。
【００８０】
図４は、この提供先を示すデータの構成を示すデータ構成図である。図４に示すように提供先データは利用者が個人識別情報の提供先を登録したサーバ、すなわち、情報配信サーバ３０、および個人識別情報の送信先アドレスやＵＲＬなどから構成される。この提供先データは、認証データベース２５に記憶される。なお、認証データベースに提供先データを記憶することなく、提供先データ登録手段を別途設けてもよい。
【００８１】
生体認証サーバ２０は、定置端末装置１０から生体情報読取り手段で読取った生体情報を受信すると、認証処理手段が、定置端末装置１０から受信した生体情報と認証データベース２５に登録されている生体情報とを照合して認証処理を行う。両方の生体情報が一致すれば正当な本人である認証が行われ（肯定的な認証結果が得られ）、生体認証サーバ２０は、認証した生体情報に対応する個人識別情報を認証データベース２５から読出す。読出された個人識別情報は、提供先データ登録手段に登録された提供先（ここでは、情報配信サーバ３０）に送信される。
【００８２】
生体認証サーバ２０から個人識別情報を受信した情報配信サーバ３０は、個人識別情報によって生体認証を利用した個人を特定することができ、当該特定した個人により登録されている興味対象情報に従った情報配信サービスを定置端末装置１０に対して提供することができる。
【００８３】
図５は、本発明にかかる認証情報提供システムを用いた情報配信サービスシステム１の構成を示すブロック図である。この情報配信サービスシステム１は、ネットワークを介して接続される生体認証サーバ２０と情報配信サーバ３０とを備えて構成されている。先に述べたように生体認証サーバ２０は定置端末装置１０から受信した生体情報に基づいて生体認証を行い、認証結果が肯定的な結果であれば、該当する利用者の個人識別情報を読出して、提供先データで示される情報配信サーバ３０に個人識別情報を送信するものである。
【００８４】
この生体認証サーバ２０は、制御手段２１、通信手段２２、表示手段２３、操作・入力手段２４、認証データベース２５、個人識別情報提供手段２６、提供先データ登録手段２７、認証処理手段２８、位置情報生成手段２９などを備えて構成されている。制御手段２１は、図示してはいないがＲＡＭ、ＲＯＭ、プロセッサを有するマイクロプロセッサであり、ＲＯＭに格納された制御プログラムにより各部の動作を制御する。
【００８５】
通信手段２２は、ネットワークを介して定置端末装置１０、情報配信サーバ３０と通信するためのインタフェースである。操作・入力手段２４は、キー、ダイヤル等からなり、生体認証サーバ２０を操作するための入力に用いられる。また、表示手段２３は液晶表示パネル等からなり生体認証サーバ２０の動作等をモニタするものである。
【００８６】
また、生体認証サーバ２０において、認証処理手段２８は定置端末装置１０から利用者の生体情報が送信されると、認証データベース２５に登録されている生体情報と照合して利用者が正しい登録者であるか否かを認証する。個人認証が正しく行われる（肯定的ない認証結果が得られる）と、個人識別情報提供手段２６は、認証データベース２５に生体情報とともに登録されている個人識別情報を読出して、提供先データ登録手段２７に登録されている提供先データで特定される情報配信サーバ３０に、該個人識別情報を送信する。ここで、提供先データ登録手段２７に登録される提供先データは、個人識別情報を提供する情報配信サーバ３０（利用者が生体認証サーバに登録した提供先）の個人識別情報の送信先アドレス、ＵＲＬなどである。
【００８７】
位置情報生成手段２９は生体情報を送信してきた定置端末装置１０が設置された位置情報を緯度・経度で生成するものである。個人識別情報提供手段２６は、情報配信サーバ３０に個人識別情報を送信する際、この位置情報を合わせて送信する。位置情報は、例えば、銀行が各所に設置する現金預け払い装置が定置端末装置１０であり、銀行が運営する管理サーバが生体認証サーバ２０である場合、生体認証サーバ２０は各定置端末装置１０の設置位置を全て把握しており、生体情報を送信してきた定置端末装置１０の位置情報を生成することができる。なお、この位置情報は、定置端末装置１０を設置する際に各定置端末装置１０内のメモリに位置情報を記録しておき、生体情報とともに位置情報を生体認証サーバ２０に送信するように構成することもできる。
【００８８】
個人識別情報提供手段２６が情報配信サーバ３０に個人識別情報を個人識別情報と位置情報を送信する処理は、具体的には情報配信サーバ３０に処理要求を行うことを意味する。すなわち、この処理要求は、情報配信サーバ３０に個人識別情報を送信して、情報配信サーバ３０に利用者が登録した興味対象情報に関する提供情報があるか、問い合わせ、該当する情報がある場合には、これを生体認証サーバ２０に配信する処理を要求するものである。情報配信サーバ３０は、後述するように、興味対象情報に基づく処理を行う際に、生体認証サーバ２０から受信した定置端末装置１０の位置情報に関連付けて処理を行う。
【００８９】
一方、情報配信サーバ３０は、制御手段３１、通信手段３２、個人識別情報比較手段３３、要求生成手段３４、案内情報生成手段３５、要求処理手段３６、個人登録情報データベース３７を備えて構成されている。個人登録情報データベース３７には、予め利用者が登録した個人識別情報３７１、興味対象情報３７２が蓄積されている。この例では、情報配信サーバ３０は交差点や駅などに設置された定置端末装置１０を介して視覚障害を持つ利用者に所望の目的地への経路を探索して案内するナビゲーションサービスを提供する情報配信サーバ３０である。このため、要求処理手段３６は経路探索部３６１を有しており、経路探索部３６１は経路探索用の道路ネットワークデータと、経路探索処理手段とから構成されている。
【００９０】
制御手段３１は、図示してはいないがＲＡＭ、ＲＯＭ、プロセッサを有するマイクロプロセッサであり、ＲＯＭに格納された制御プログラムにより各部の動作を制御する。通信手段３２は、ネットワークを介して生体認証手段２０と通信するためのインタフェースである。
【００９１】
利用者は、生体認証サーバ２０に登録した個人識別情報を情報配信サーバ３０に登録するとともに、興味対象情報を登録する。図６は、個人登録情報データベース３７に蓄積される個人登録情報のデータ構成を示す図である。個人登録情報データベース３７には図６に示すように、登録利用者ごとに氏名、住所、電話番号などの個人情報と、個人識別情報３７１と興味対象情報３７２が蓄積される。
【００９２】
個人識別情報比較手段３３は生体認証サーバ２０から送信されてきた個人識別情報と、個人登録情報データベース３７に蓄積された個人識別情報３７１とを比較して、一致する個人識別情報を抽出し定置端末装置１０に生体認証処理を依頼した個人を特定する。個人が特定されると、要求生成手段３４は個人登録情報データベース３７に個人識別情報とともに対応して蓄積されている興味対象情報３７２を抽出し、興味対象情報３７２から要求処理手段３６に対する処理要求を生成する。この処理要求は要求処理手段３６に送られ、興味対象情報に登録してあった情報に基づく処理が行われる。要求処理手段３６による処理結果は、案内情報生成手段３５によって編集され、生体認証サーバ２０に送られる。
【００９３】
ここで、興味対象情報は利用者が経路案内を所望する任意の目的地を含む経路探索要求であり、生体情報を読み取らせた定置端末装置１０から送信される位置情報により特定される場所を出発地とする経路探索、経路案内を要求する経路探索要求データである。すなわち、利用者は、定置端末装置１０に指紋認証させることにより個人を特定するための個人識別情報と現在位置情報を情報配信サーバに提供する。
【００９４】
情報配信サーバ３０は定置端末装置１０の設置位置を利用者の現在位置とし、登録された目的地（興味対象情報に含まれる目的地）までの経路を探索する。情報配信サーバ３０が探索した案内経路の情報は生体認証サーバ２０に送られ、生体認証サーバ２０はこの案内経路の情報を定置端末装置１０に送信し、定置端末装置１０は利用者に対する経路案内を表示手段１４などの出力手段に出力する。
【００９５】
例えば、視覚障害者を対象とする案内（ガイダンス）は定置端末装置１０において音声ガイダンスとして出力する。この場合、交差点や駅などの各ノード、病院や公共施設構内の経路分岐点の各ノードに定置端末装置１０をそれぞれ設置しておき、利用者が定置端末装置１０ごとに情報配信サーバ３０から目的地までの経路案内サービスを音声等によって受けることができるようになる。生体認証サーバ２０は、自治体等が設置運用するサーバであってもよく、生体認証サービスを提供する事業者が運営する生体認証サーバであってもよい。また、このようなシステムの場合、定置端末装置１０の設置位置は定置端末装置１０自体に記憶させておき、生体情報とともに定置端末装置１０の位置情報を生体認証サーバ２０に送信するように構成すればよい。
【００９６】
このため、要求処理手段３６は通常のナビゲーションサーバと同様に、道路ネットワークデータを用いて所望の２点間の経路を探索して、推奨経路を案内する。この経路探索において、通常の経路探索と異なる点は道路ネットワークデータが、定置端末装置１０が設置された位置をノードとして構成される点であり、その他の構成や経路探索方法は一般のナビゲーションサーバと同様であり、道路ネットワークデータは以下のように構成される。
【００９７】
例えば、道路が図７に示すように道路Ａ、Ｂ、Ｃからなる場合、道路Ａ、Ｂ、Ｃの端点、交差点、屈曲点などをノードとし、各ノード間を結ぶ道路を有向性のリンクで表し、ノードデータ（ノードの緯度・経度）、リンクデータ（リンク番号）と各リンクのリンクコスト（リンクの距離またはリンクを走行するのに必要な所要時間）をデータとしたリンクコストデータとで構成される。
【００９８】
すなわち、図７において、Ｎｎ、Ｎｍがノードを示し、Nｍは道路の交差点を示している。各ノード間を結ぶ有向性のリンクを矢印線（実線、点線、２点鎖線）で示している。リンクは、道路の上り、下りそれぞれの方向を向いたリンクが存在するが、図７では図示を簡略化するため矢印の向きのリンクのみを図示している。
【００９９】
このような道路ネットワークのデータを経路探索用のデータベースとして経路探索を行う場合、出発地のノードから目的地のノードまで連結されたリンクをたどりそのリンクコストを累積し、累積リンクコストの最少になる経路を探索して案内する。すなわち、図７において出発地をノードＡＸ、目的地をノードＣＹとして経路探索を行う場合、ノードＡＸから道路Ａを走行して２つ目の交差点で右折して道路Ｃに入りノードＣＹにいたるリンクを順次たどりリンクコストを累積し、リンクコストの累積値が最少になる経路を探索して案内する。
【０１００】
図７ではノードＡＸからノードＣＹに至る他の経路は図示されていないが、実際には、そのような経路が他にも存在するため、ノードＡＸからノードＣＹに至る可能な経路を同様にして探索し、それらの経路のうちリンクコストが最少になる経路を最適経路として決定するものである。この手法は、例えば、ダイクストラ法と呼ばれる周知の手法によって行われる。
【０１０１】
本実施例ではこのようなネットワークデータのノードを定置端末装置１０が設置された位置としてネットワークデータを作成しておけばよい。また、視覚障害者が安全に目的地まで移動できる経路を探索するように構成することもできる。この場合、各リンクのコストに歩行の安全係数を乗じてデータを作成しておき、安全係数の高いリンクのリンクコストが小さくなるようにしておけばよい。
【０１０２】
以上のような構成によれば、利用者が予め生体認証サーバ２０に生体認証のための生体情報と個人識別情報を登録するとともに、情報配信サーバ３０に個人識別情報と興味対象情報を登録しておけば、利用者は特別な端末装置や個人識別用のカードを携行することなく、定置端末装置１０において生体認証を要求するだけで、情報配信サーバ３０に登録した興味対象情報、この場合、目的地までの経路案内のサービスを受けることができるようになる。また、生体認証サーバ２０は、利用者が登録した個人識別情報の提供先に、生体認証済の個人識別情報を提供するサービスを行うことができるようになる。
【実施例２】
【０１０３】
上記の実施例１にかかる情報配信サービス提供システムは興味対象情報として目的地を登録しておき、定置端末装置の位置から目的地までの経路を案内するサービスを提供するものであったが、興味対象情報として所望の興味対象場所を登録しておき、情報配信サーバに定置端末装置の位置に関連した検索処理を要求し、案内を受けるように構成することができる。
【０１０４】
図８は、このような情報配信サービスを提供する本発明の実施例２にかかる情報配信サービスシステム１の構成を示す図である。このシステムの構成は、基本的に図５に示す実施例１のシステムと同様の構成であるが、情報配信サーバ３０がネットワークを介してＰＯＩ検索サーバ４０にＰＯＩ検索処理を要求し、その結果を受信して生体認証サーバ２０を介して生体認証を要求した定置端末装置１０に配信する点が実施例１と異なる。説明の重複を避けるため、図８において図５と同一の構成要素には図５と同一の参照符号を付してある。
【０１０５】
また、以下の説明は、定置端末装置１０は、銀行や郵便局、コンビニエンスストア、スーパーマーケットなどに設置される現金預け払い装置を用いた場合を具体例として進めるものとする。生体認証サーバ２０は定置端末装置１０を設置する銀行や郵便局の認証サーバであってもよく、あるいは、銀行や郵便局などから生体認証処理を委託された認証事業者が生体認証サービスを提供するために設置する生体認証サーバであってもよい。
【０１０６】
本実施例２においても、実施例１と同様に利用者は予め生体認証サーバ２０に生体情報、個人識別情報、提供先データ等を登録し、情報配信サーバ３０に個人登録情報として、前記個人識別情報と、興味対象情報を登録しておくものとする。ここでは、興味対象情報として、所望のＰＯＩを検索要求する情報、例えば、本屋および本屋で購入したい本の名前（書籍名）であるものとする。
【０１０７】
また、ＰＯＩ検索サーバは通常のＷＥＢ検索サイトと同様の構成で要求されたＰＯＩを検索して、地図や店舗、サービスの案内を提供するサーバであってよい。本実施例２においては、ＰＯＩ検索サーバ４０は、各ＰＯＩにおける商品在庫のデータベースを参照して、ＰＯＩのカテゴリと購入希望商品名に基づいてその商品の在庫が存在するＰＯＩを検索する機能を有しているものとする。商品在庫を加味したＰＯＩ検索システムについては前述の先願１の技術を用いることができる。
【０１０８】
ある利用者が買い物途中でそれぞれ所定の場所に設置されている現金預け払い装置である定置端末装置１０を用いて預金の引出し操作をしたものとする。利用者は生体認証登録をしており、先ず、定置端末装置１０（現金預け払い装置）に銀行カードを挿入し、生体情報読取り手段１６で指紋など、生体認証サーバ２０に登録してある生体情報を読み取らせる。
【０１０９】
定置端末装置１０は、生体情報読取り手段１６で読取った生体情報と銀行カードから読取った情報を生体認証サーバ２０に送信する。生体認証サーバ２０はこれに基づいて、認証データベース２５に登録されている生体情報と比較して個人認証処理を行う。認証の結果、本人であることを確認すると、生体認証サーバ２０は該当する利用者の個人識別情報と定置端末装置１０の位置情報を提供先データで指定されている情報配信サーバ３０に送信する。
【０１１０】
すなわち、個人識別情報提供手段２６（生体認証サーバ２０参照）は提供先の情報配信サーバ３０に個人識別情報を送信するとともに、位置情報生成手段２９で生成した定置端末装置１０の位置情報（緯度・経度）を送信する。一方、銀行のトランザクションサーバ（図示せず）にも生体認証の結果が送信され、サーバは、利用者が定置端末装置１０を操作して入力した処理要求（例えば、預金の引出し）を受け付け、預金の払い出し処理を定置端末装置１０に指示する。
【０１１１】
生体認証サーバ２０から個人識別情報と位置情報を受信した情報配信サーバ３０は、個人識別情報比較手段３３が個人登録情報データベース３７から該当する個人識別情報を調べ、要求生成手段３４が個人識別情報に対応して登録されている興味対象情報を抽出して要求処理手段３６に対する処理要求を生成する。この例では、ＰＯＩのカテゴリを本屋、購入希望の書籍名を特定したＰＯＩ検索要求である。また、ＰＯＩ検索範囲は定置端末装置１０の位置を中心とする所定の距離範囲である。例えば、移動手段が徒歩の場合は半径５００mあるいは１Ｋｍなどと設定しておけばよい。
【０１１２】
要求処理手段３６は、このＰＯＩ検索要求を受取ると、通信手段３２を介してＰＯＩ検索サーバ４０にアクセスして該当するＰＯＩを検索する。すなわち、ＰＯＩ検索サーバ４０は、位置情報に基づいて上記の距離範囲内の本屋を検索し、更に、在庫情報データベースを参照して利用者が登録してある購入希望の書籍の在庫の有無を調べる。ＰＯＩ検索サーバ４０は、在庫の存在するＰＯＩが検索できれば当該ＰＯＩの名前や位置情報を情報配信サーバ３０に送信し、該当するＰＯＩが検索されなければ該当ＰＯＩなしの旨を情報配信サーバ３０に送信する。
【０１１３】
情報配信サーバ３０は、ＰＯＩ検索サーバ４０からＰＯＩ検索の結果を受信すると、案内情報生成手段３５がＰＯＩ検索結果を生体認証サーバ２０に配信するデータに編集し、通信手段３２を介して該生体認証サーバ２０に配信する。該当するＰＯＩが検索されなかった場合は、その旨が生体認証サーバ２０に通知される。生体認証サーバ２０に送信されたＰＯＩ検索の結果は定置端末装置１０に送信され、定置端末装置１０は表示手段１４などの出力手段にＰＯＩ検索の結果を出力する。該当するＰＯＩが検索されなかった場合、定置端末装置１０は利用者に何も案内しない。
【０１１４】
例えば、該当するＰＯＩが検索された場合、定置端末装置１０は情報配信サーバ３０か生体認証サーバ２０からＰＯＩ検索結果を受信すると、現金預け払いの処理結果を表示する表示画面に、「お探しの書籍はこの近所の「＃＃＃書店」にあります」というメッセージを表示する。これにより利用者は、書籍を探す目的でなく、現金預け払い装置で預金を引き出す処理を行っただけであるが、予め情報配信サーバ３０に登録してあった興味対象情報に基づく案内を受けることができるようになる。
【０１１５】
そして、ＰＯＩ検索は、利用者が操作した定置端末装置１０の設置位置に関連して所定の距離範囲内について行われるものであるから、利用者に時間的な余裕があれば、案内された書店を訪ね、希望していた書籍を購入することもできるようになる。なお、定置端末装置１０に表示する「＃＃＃書店」の文字に、情報配信サーバ３０に対して案内地図を要求するハイパーリンクを付加しておくと、定置端末装置１０から情報配信サーバ３０に自動的に該当する地図情報を要求するように構成することもできる。
【０１１６】
情報配信サーバ３０はこの地図要求があると、経路探索部３６１が定置端末装置１０の位置から検索されたＰＯＩまでの経路を探索し、案内経路のデータを地図情報とともに定置端末装置１０に配信する。利用者は情報配信サーバ３０から定置端末装置１０に配信された地図情報を印刷することによって目的の書店までの経路や地図上の位置を確認することもできるようになる。
【０１１７】
図９は、定置端末装置１０に表示される表示画面の構成と画面遷移を示す図である。すなわち、利用者が定置端末装置１０である現金預け払い装置を操作して預金の引出し処理を要求すると画面９０１で「お手続きをしております」というメッセージが表示され、この間に生体認証サーバ２０による生体認証処理、情報配信サーバ３０への処理要求が行われ、ＰＯＩ検索が実行される。ＰＯＩが検索されると、画面９０２に画面遷移し、ＰＯＩの情報が表示される。
【０１１８】
そして預金の払い出し処理が終了すると、画面９０３に画面遷移し「現金取り出し」のメッセージが表示される。この時、情報配信サーバ３０から書籍の価格の情報が配信されていれば、「お探しの書籍は＃＃＃円です」という書店の宣伝表示をするように構成してもよい。
【０１１９】
図１０、図１１は、以上の処理手順を示すフローチャートであり、図１０は定置端末装置１０から生体認証要求を受信した生体認証サーバ２０が情報配信サーバ３０に個人識別情報などを送信する処理手順を示すフローチャート、図１１は情報配信サーバ３０から処理結果を受信した後の処理手順を示すフローチャートである。
【０１２０】
先ず、利用者が定置端末装置１０において生体情報読取り手段１６により生体情報を読取らせ、定置端末装置１０が生体認証サーバ２０に生体情報を送信したものとする。
生体認証サーバ２０は、ステップＳ１０１の処理において定置端末装置１０から生体情報を受信し、ステップＳ１０２の処理において、認証処理手段２８は認証データベース２５を参照して生体認証を行う。ついで、生体認証サーバ２０はステップＳ１０３の処理において認証結果を取得する。認証結果が肯定的な結果であれば、ステップＳ１０５の処理に進む。
【０１２１】
ステップＳ１０４で肯定的な認証結果が得られなかった場合にはステップＳ１１０の処理に進み、警告情報を定置端末装置１０に送信して処理を終了する。認証結果が肯定的な結果であれば、ステップＳ１０５の処理において定置端末装置に対する処理要求（例えば、預金の払い出し処理の要求）があるかを判別する。何ら処理要求がなければステップＳ１１０の処理に進み、警告情報を定置端末装置１０に送信して処理を終了する。
【０１２２】
ステップＳ１０５の判別処理において、定置端末装置１０に対する処理要求がなされたことを判別すると、ステップＳ１０６の処理においてサーバ（銀行のトランザクションサーバ）に処理要求を送信する。そして、ステップＳ１０７の処理において認証データベース２５から個人識別情報等を取得したかを判別する。個人識別情報を取得していなければトランザクションからの処理結果の受信待ち状態に移行する。
【０１２３】
ステップＳ１０７の判別処理において個人識別情報等を取得すると、位置情報生成手段２９から定置端末装置１０（生体情報を受信した定置端末装置１０）の位置情報（緯度・経度）を生成し、提供先データ登録手段２７に登録された取得先データで指定された情報配信サーバ３０に、ステップＳ１０９の処理において個人識別情報と位置情報を送信して、情報配信サーバ３０からの情報配信の受信待ち状態に移行する。
【０１２４】
この受信待ち状態から生体認証サーバ２０は、図１１のフローチャートの処理に進む。先ず、ステップＳ２０１の処理においてサーバ（銀行の預金処理のトランザクションサーバ）から処理結果を受信すると、ステップＳ２０２の処理に進み、情報配信サーバ３０に処理要求したか、すなわち、個人識別情報、位置情報を送信したかを判別する。情報配信サーバ３０に処理要求をしていなければ、ステップＳ２０６の処理に進み、定置端末装置１０に処理結果（トランザクションサーバの処理結果：この例では、預金の払い出し処理）の回答を送信して処理を終了する。
【０１２５】
情報配信サーバ３０に処理要求している場合、ステップＳ２０３の処理に進み情報配信サーバ３０から処理結果を受信したか否かを判別する。処理結果を受信していなければステップＳ２０３の判別処理を繰り返す。ステップＳ２０３の判別処理において情報配信サーバ３０から処理結果（回答情報）を受信していると判別されると、ステップＳ２０４の処理に進み、表示すべき回答か否かを判別する。
【０１２６】
情報配信サーバ３０からの処理結果が、興味対象情報として登録してあったＰＯＩが検索されなかったという結果であれば、利用者にこれを案内するまでもないので、ステップＳ２０４の判別処理では案内すべき回答ではないと判別され、ステップＳ２０６の回答送信処理に進む。この場合、ステップＳ２０６の処理において定置端末装置１０に送信される処理結果は銀行のトランザクションサーバの処理結果である。
【０１２７】
ステップＳ２０４の判別処理において、情報配信サーバ３０からの処理結果が利用者に案内すべきものであると判別されると、ステップＳ２０５の処理に進み、定置端末装置１０に回答する案内する回答画面（図９、画面９０２を参照）が編集され、ステップＳ２０６の送信処理において定置端末装置１０に送信して処理を終了する。これにより定置端末装置１０の表示手段１４にはこの回答画面が表示される。その後、図９の画面９０３の画面に遷移して預金の払い出し処理の表示が行われ、利用者が定置端末装置１０から現金等の受け取り処理を完了させると定置端末装置１０の処理が終了する。
【０１２８】
以上、説明した例は、現金預け払い装置を定置端末装置１０とし、ＰＯＩ検索を興味対象情報として情報配信サーバ３０に登録し、定置端末装置１０を操作した際に、該当するＰＯＩ情報が検索された場合にその情報を利用者に案内する例を説明したが、興味対象情報として利用者が登録した目的地への経路案内をすることもできる。
【０１２９】
例えば、定置端末装置１０が空港内に設置された現金預け払い装置であり、情報配信サーバが航空会社の案内サーバである場合、利用者が搭乗する航空機の便名などの搭乗券情報を興味対象情報として登録しておき、空港に設置された現金預け払い装置（定置端末装置）を利用して預金の払い出し処理をした際に、案内サーバに登録してある搭乗予定の航空機の搭乗口までの案内経路を定置端末装置１０に表示して、定置端末装置１０の設置位置から搭乗口までの経路を案内するように構成することもできる。
【０１３０】
図１２は、上記の場合に空港内に設置された定置端末装置に表示される表示画面の遷移を示す表示画面構成図である。すなわち、利用者が定置端末装置１０である現金預け払い装置を操作して預金の引出し処理を要求すると、画面１２１で「お手続きをしております」というメッセージが表示され、この間に生体認証サーバ２０による生体認証処理、情報配信サーバ３０である案内サーバへの処理要求が行われ、案内サーバは定置端末装置１０の位置から利用者が登録した搭乗便の当日の搭乗口までの経路探索が実行する。
【０１３１】
定置端末装置１０は、経路探索の結果を案内サーバから生体認証サーバ経由で受信すると、その表示手段１４の表示画面には画面１２２に画面遷移し搭乗口までの案内経路が表示される。そして預金の払い出し処理が終了すると、画面１２３に画面遷移し「現金取り出し」のメッセージが表示される。
【０１３２】
なお、このような空港内に設置された定置端末装置１０としては、現金預け払い装置だけでなく、航空会社が設置する搭乗券発券装置や自動搭乗手続き装置を利用することができ、生体認証により本人認証して搭乗券を発行したり、チェックインを受け付けたりした際に、該当する便の搭乗口を案内するように構成することもできる。
【０１３３】
なお、上記の各実施例において、個人識別情報、定置端末の位置情報を生体認証サーバ２０から提供先の情報配信サーバ３０に送信する例を説明したが、本発明はこのような構成だけでなく、定置端末装置１０が生体認証サーバ２０から生体認証の結果とともに個人識別情報、提供先データを受信して、個人識別情報と位置情報（定置端末装置の設置位置の情報）を提供先データで指定された情報配信サーバ３０に送信（処理要求）するように構成することもできる。
【産業上の利用可能性】
【０１３４】
本発明にかかるシステムは、サービス提供手段の本来の機能（現金預け払い装置など）に付加価値を与えるものであるから、サービス提供手段の運営者が費用負担し、利用者は無料で使う形態のシステムを構築することが可能である。また、情報配信サーバで提供する情報の中にも広告費が期待できるものがあるので、無料利用は十分可能である。十分な収益が上がれば、本発明専用の定置端末装置を設置することも可能で、さらに利用を促進することが出来る。
【０１３５】
また本発明の最大の特徴は、サービス提供手段の中に利用者情報（個人識別情報）の取得手段を設けたので、セキュリティーが守られた複数のシステムからの接続を可能とし、利用者が行動中に、各所に設置された現金預け払い装置など多くの遭遇機会を与え、興味対象情報に関連した情報を提供することができる。更に、個人認証として、生体認証を使っているので、目的地や興味対象が他人に知られることも無く、個人情報が入ったＩＣカードなどを紛失する心配も無いので、非常に安全である。
【図面の簡単な説明】
【０１３６】
【図１】本発明にかかる認証情報提供システムを用いた情報配信サービスシステムの概念を示すシステム構成図である。
【図２】図１のシステムにおける定置端末装置の概略構成を示すブロック図である。
【図３】生体認証サーバに登録される認証データの構成を示すデータ構成図である。
【図４】生体認証サーバに登録される個人識別情報の提供先データの構成を示すデータ構成図である。
【図５】本発明にかかる認証情報提供システムを用いた情報配信サービスシステムの実施例１の構成を示すブロック図である。
【図６】情報配信サーバの個人登録情報データベースに蓄積される個人登録情報のデータ構成を示す図である。
【図７】道路ネットワークのデータの概念を示す模式図である。
【図８】本発明にかかる認証情報提供システムを用いた情報配信サービスシステムの実施例２の構成を示すブロック図である。
【図９】図８の情報配信サービス提供システムにおいて、定置端末装置に表示される表示画像の遷移を示す表示画面構成図である。
【図１０】本発明の実施例２の生体認証サーバの処理の手順を示すフローチャートである。
【図１１】図１０の処理手順に続く処理の手順を示すフローチャートである。
【図１２】実施例２の情報配信サービス提供システムにおいて、定置端末装置に表示される他の表示画像の遷移を示す表示画面構成図である。
【符号の説明】
【０１３７】
１・・・・・情報配信サービスシステム
１０・・・・定置端末装置
１６・・・・生体情報読取り手段
２０・・・・生体認証サーバ
２１・・・・制御手段
２２・・・・通信手段
２３・・・・表示手段
２４・・・・操作・入力手段
２５・・・・認証データベース
２６・・・・個人識別情報提供手段
２７・・・・提供先データ登録手段
２８・・・・認証処理手段
２９・・・・位置情報生成手段
３０・・・・情報配信サーバ
３１・・・・制御手段
３２・・・・通信手段
３３・・・・個人識別情報比較手段
３４・・・・要求生成手段
３５・・・・案内情報生成手段
３６・・・・要求処理手段
３６１・・・経路探索部
３７・・・・個人登録情報データベース
３７１・・・個人識別情報
３７２・・・興味対象情報
【図１】
2008015926.tif 000003
【図２】
2008015926.tif 000004
【図３】
2008015926.tif 000005
【図４】
2008015926.tif 000006
【図５】
2008015926.tif 000007
【図６】
2008015926.tif 000008
【図７】
2008015926.tif 000009
【図８】
2008015926.tif 000010
【図９】
2008015926.tif 000011
【図１０】
2008015926.tif 000012
【図１１】
2008015926.tif 000013
【図１２】
2008015926.tif 000014